(57)【要約】【課題】流体経路を短い全長で多数の系統に分岐でき、配管接続の作業性が良好な分岐ヘッダーを提供する。【解決手段】先端が封止された主管１２０と、その周面に突設されかつ主管１２０と連通した複数の接続口部１３０とを備える分岐ヘッダー１００において、接続口部１３０を、主管１２０の軸方向に延びる複数の列を形成するように配置し、隣り合う列に属する接続口部１３０ａ、１３０ｂ同士を千鳥状（主管の軸方向に交互）に配置する。【選択図】図１
2004205131.tif 000002
【特許請求の範囲】
【請求項１】
流体経路を分岐または合流するための分岐ヘッダーにおいて、
先端が封止された主管と、
前記主管の周面に突設されかつ前記主管と連通した複数の接続口部とを備え、
前記接続口部を、前記主管の軸方向に延びる複数の列を形成するように配置した
ことを特徴とする分岐ヘッダー。
【請求項２】
隣り合う列に属する接続口部同士を前記主管の軸方向に交互に配置した
ことを特徴とする請求項１に記載の分岐ヘッダー。
【請求項３】
当該分岐ヘッダーは、前記主管が水平に延びるように取り付けて使用するものであり、
使用状態において各列に属する接続口部の突設方向が鉛直下方または斜め下方になるように接続口部を配置した
ことを特徴とする請求項１または２に記載の分岐ヘッダー。
【請求項４】
当該分岐ヘッダーは、前記主管が水平に延びるように取り付けて使用するものであり、
使用状態において接続口部の突設方向が斜め下方であって鉛直下方に対して左右対称な複数の列が構成されるように接続口部を配置した
ことを特徴とする請求項１、２または３に記載の分岐ヘッダー。
【請求項５】
接続口部の突設方向が鉛直下方に対して６０度以内の角度に設定されている
ことを特徴とする請求項３または４に記載の分岐ヘッダー。
【請求項６】
当該分岐ヘッダーは、放熱器を途中に含む回路に加熱した熱媒体流体を循環させる熱源機に取り付けられるものであって、前記熱源機から送り出される熱媒体流体を複数の暖房回路に分流するものまたは複数の暖房回路から戻ってきた熱媒体流体を合流させて前記熱源機に戻すものである
ことを特徴とする請求項１、２、３、４または５に記載の分岐ヘッダー。
【発明の詳細な説明】
【０００１】
【発明の属する技術分野】
本発明は、流体経路を分岐または合流するための分岐ヘッダーにかかわり、特に、温水などの熱媒体流体を放熱器に循環させて暖房もしくは衣類乾燥等を行う熱源機に取り付けられ、当該熱源機から送り出される熱媒体流体を複数の回路に分流したり、複数の回路から戻ってきた熱媒体流体を合流させて熱源機に戻したりする分岐ヘッダーに関する。
【０００２】
【従来の技術】
温水マットや放熱器を途中に含む回路に温水などの熱媒体流体を循環させて暖房や衣類乾燥等を行う装置では、その熱源機から送り出される高温の熱媒体流体を往き用の分岐ヘッダーによって複数の回路に分岐して供給している。また、温水マットや放熱器を経由して複数の回路から戻ってきた熱媒体流体を戻り用の分岐ヘッダーによって１つに合流された後、熱源機に戻すようになっている。
【０００３】
このような分岐ヘッダー２００は、図８に示すように、長尺円筒状のヘッダー管２０１と、ヘッダー管２０１の周面から突出した短円筒状の複数の接続口部２０２を有している。これらの複数の接続口部２０２は、ヘッダー管２０１の長さ方向に沿って一列に配置されている（たとえば、特許文献１参照。）。各接続口部２０２には、樹脂チューブからなる暖房回路等の配管が外嵌され、その外側からＣの字型のばねから成る止め具（スナップジョイント）を嵌め込んで、配管を固定している。
【０００４】
【特許文献１】
特開２０００−３４６３７８号公報
【０００５】
【発明が解決しようとする課題】
上述した熱源機を備える暖房装置や暖房給湯装置等の本体は、住宅事情等から小型化、特に、設置面積の縮小が切望されている。分岐ヘッダーは、通常、熱源機の下部にヘッダー管が水平になるようにして取り付けられるので、本体の小型化に伴って分岐ヘッダーの全長が制約される。
【０００６】
一方、床暖房等の普及により、熱源機に接続する暖房回路等の系統数は増加の傾向にあり、たとえば１０系統に及ぶこともある。このような系統数の増加に対応すべく多数の接続口部を一列に並べると、ヘッダー管が長くなって、装置本体の小型化を阻害してしまう。
【０００７】
また小型化された装置本体の内部は各種の部品や配線・配管が密集しているので、ヘッダー管の全長を抑えるべく接続口部同士の間隔を狭くすると、施工現場で各暖房回路等の樹脂チューブをスナップジョイントで分岐ヘッダーの接続口部に接続固定する作業の作業性が低下してしまう。さらに、通常、分岐ヘッダーは、ヘッダー管の周面に穴を開設し、ここに短い円筒状の接続口部をろう付けして作製されるので、ろう付け強度の関係からも接続口部同士の間隔をあまり狭くすることはできない。また必要な系統数を満足するために複数本の分岐ヘッダーを用いると、装置価格の上昇を招いてしまう。
【０００８】
本発明は、このような従来の技術が有する問題点に着目してなされたもので、流体経路を短い全長で多数の系統に分岐でき、配管接続の作業性が良好な分岐ヘッダーを提供することを目的としている。
【０００９】
【課題を解決するための手段】
かかる目的を達成するための本発明の要旨とするところは、次の各項の発明に存する。
［１］流体経路を分岐または合流するための分岐ヘッダー（１００）において、
先端が封止された主管（１２０）と、
前記主管（１２０）の周面に突設されかつ前記主管（１２０）と連通した複数の接続口部（１３０）とを備え、
前記接続口部（１３０）を、前記主管（１２０）の軸方向に延びる複数の列を形成するように配置した
ことを特徴とする分岐ヘッダー（１００）。
【００１０】
［２］隣り合う列に属する接続口部同士（１３０ａ、１３０ｂ）を前記主管（１２０）の軸方向に交互に配置した
ことを特徴とする［１］に記載の分岐ヘッダー（１００）。
【００１１】
［３］当該分岐ヘッダー（１００）は、前記主管（１２０）が水平に延びるように取り付けて使用するものであり、
使用状態において各列に属する接続口部（１３０）の突設方向が鉛直下方または斜め下方になるように接続口部（１３０）を配置した
ことを特徴とする［１］または［２］に記載の分岐ヘッダー（１００）。
【００１２】
［４］当該分岐ヘッダー（１００）は、前記主管（１２０）が水平に延びるように取り付けて使用するものであり、
使用状態において接続口部（１３０ａ、１３０ｂ）の突設方向が斜め下方であって鉛直下方に対して左右対称な複数の列が構成されるように接続口部（１３０ａ、１３０ｂ）を配置した
ことを特徴とする［１］、［２］または［３］に記載の分岐ヘッダー（１００）。
【００１３】
［５］接続口部（１３０）の突設方向が鉛直下方に対して６０度以内の角度に設定されている
ことを特徴とする［３］または［４］に記載の分岐ヘッダー（１００）。
【００１４】
［６］当該分岐ヘッダー（１００）は、放熱器を途中に含む回路に加熱した熱媒体流体を循環させる熱源機（１０）に取り付けられるものであって、前記熱源機（１０）から送り出される熱媒体流体を複数の回路に分流するものまたは複数の暖房回路から戻ってきた熱媒体流体を合流させて前記熱源機に戻すものである
ことを特徴とする［１］、［２］、［３］、［４］または［５］に記載の分岐ヘッダー（１００）。
【００１５】
前記本発明は次のように作用する。
長尺筒状であって先端が封止された主管（１２０）には、その周面から突出するように複数の接続口部（１３０）が設けてある。これらの接続口部（１３０）は、樹脂チューブ等の配管が接続される部分であり、短い円筒状を成しかつ主管（１２０）と連通している。これら複数の接続口部（１３０）は、主管（１２０）の軸方向に延びる複数の列を形成するように配置してある。このように複数の列を成すように接続口部（１３０）を配置することにより、一列に配置する場合に比べて、主管（１２０）の全長が短くなる。
【００１６】
隣り合う列に属する接続口部同士（１３０ａ、１３０ｂ）を主管（１２０）の軸方向において交互に配置したもの、すなわち、接続口部を千鳥状に配置したものでは、接続口を設けるために主管（１２０）に開設する穴と穴との間隔をある程度確保しつつ、隣り合う列に属する接続口部同士（１３０ａ、１３０ｂ）の突設方向の角度差を、たとえば６０度程度に、小さくすることができる。すなわち、隣り合う列の接続口部（１３０）を主管（１２０）の軸方向の同一位置に配置すると、接続口を設けるために主管（１２０）に開設される穴と穴とが繋がらず、かつ穴と穴の間隔を必要な強度が確保されるだけ広くするには、隣り合う列に属する接続口部（１３０ａ、１３０ｂ）の突設方向の角度差を、大きく（たとえば９０度以上に）する必要がある。これに対して、隣り合う列に属する接続口部同士（１３０ａ、１３０ｂ）を主管（１２０）の軸方向に交互に配置（２列の場合には千鳥状に配置）すれば、一方の列に属する穴と穴の間に他方の列に属する穴を逃がして配置することができるので、隣り合う列に属する接続口部同士（１３０ａ、１３０ｂ）の突設方向の角度差を小さくすることができる。そして、角度差が少なくなることで、接続される配管の左右への広がりが少なくなり、省スペース化される。
【００１７】
分岐ヘッダー（１００）は、その主管（１２０）が水平に延びるように取り付けて使用され、この状態で各列に属する接続口部（１３０）の突設方向が鉛直下方または斜め下方になるように接続口部（１３０）を配置してある。これにより、接続口部（１３０）に樹脂チューブを接続しこれを下方に延設する場合に、樹脂チューブが内部の流体を含めた自重によって接続箇所の近傍で折れ曲がり難くなる。すなわち、接続口部（１３０）の突出方向が真横あるいは斜め上の場合には、下方に延設される樹脂チューブの向きが接続箇所の近傍で９０度以上変わるので、折れ曲がり易くなる。特に、暖房などのために樹脂チューブに温水を流すような場合には、樹脂チューブがやわらかくなるので、より一層折れ曲がり易くなり、管路が詰まる可能性もある。このような事態を避けるべく、接続口部（１３０）の突設方向を鉛直下方または斜め下方に設定してある。
【００１８】
接続口部（１３０）の突設方向が斜め下方であって鉛直下方に対して左右対称な複数の列が構成されるように接続口部（１３０）を配置するものでは、樹脂チューブにおける折れ曲がり防止効果を左右対称な列に均等に振り分けることができる。たとえば、接続口部（１３０）が２列に配置される場合においては、一方の列に属する接続口部（１３０）の突設方向と他方の列に属する接続口部（１３０）の突設方向が鉛直方向に対して左右対称であってそれぞれ斜め下方になるように接続口部（１３０）を配置するとよい。これにより、一方の接続口部（１３０）の突設方向だけが鉛直下方から大きく外れてしまうことが防止されるので、双方の樹脂チューブにおける折れ曲がりが均等に防止される。
【００１９】
接続口部（１３０）の突設方向が鉛直下方に対して６０度以内の角度に設定されているものでは、上記した折れ曲がりを的確に防止することができる。特に４５度以下が望ましい。
【００２０】
当該分岐ヘッダー（１００）が、放熱器を途中に含む回路に加熱した熱媒体流体を循環させる熱源機（１０）に取り付けられて使用するものの場合には、熱源機の設置スペース縮小のために、全長の短い当該分岐ヘッダー（１００）が好適である。
【００２１】
【発明の実施の形態】
以下、図面に基づき本発明の各種の実施の形態を説明する。
図１は、本発明の実施の形態にかかる分岐ヘッダー１００の正面を、図２は、分岐ヘッダー１００の側面を、図３は、図１におけるＡ−Ａ断面をそれぞれ示している。図４は、分岐ヘッダー１００を暖房用の熱源機としての機能を有する暖房給湯器１０に取り付けた状態を示している。暖房給湯器１０は、バーナで加熱した熱媒体流体としての温水を、床暖房用の温水マットや放熱器を経由する回路にポンプで循環させて暖房したり衣類乾燥等を行う機能を有している。
【００２２】
熱媒体流体は、暖房給湯器１０の本体下部に設けられた往き管１１（図４参照）から暖房回路へ送り出される。放熱器等を経由して回路から戻ってきた熱媒体流体は、暖房給湯器１０の本体下部に設けた戻り管１２から本体内部に取り込まれる。分岐ヘッダー１００は、往き管１１から送り出される熱媒体流体を複数の回路に分流したり、複数の回路から戻ってきた熱媒体流体を戻り管１２へ戻るために合流させたりする機能を果たす。
【００２３】
分岐ヘッダー１００は、図１に示すように筒状の基管部１１０と、基管部１１０の途中から垂直に分岐した長尺円筒状の主管１２０（ヘッダー管）と、主管１２０の周面に突設されかつ主管１２０と連通した複数の接続口部１３０とを備えている。分岐ヘッダー１００は、真ちゅう、銅、樹脂等の材質からなる。基管部１１０の上端は暖房給湯器１０の往き管１１または戻り管１２に接続される取付部１１１になっている。下端は、開口の内周に雌ねじが形成され、ここにドレインねじ１１２がねじ込まれている。通常、基管部１１０の下端は、ドレインねじ１１２により、熱媒体流体が流出しないように閉止されている。ドレインねじ１１２を外すと熱媒体流体が排出される。
【００２４】
主管１２０の先端は封止されている。接続口部１３０は、短い円筒状を成し、かつその先端近傍の一部に径の細くなった括れ部１３１を有している。接続口部１３０には、暖房回路等の配管である樹脂チューブが外嵌される。括れ部１３１のある箇所に樹脂チューブの外側からＣの字型のばねから成る止め具（スナップジョイント）を嵌め込み、樹脂チューブを固定するようになっている。
【００２５】
接続口部１３０は、主管１２０の軸方向に延びる複数の列を形成するように配置されている。ここでは、第１列と第２列の２列に配置してある。第１列に属する接続口部１３０ａと第２列に属する接続口部１３０ｂは、千鳥状に配置されている。すなわち、主管１２０の軸方向に交互に配列されている。また第１列に属する接続口部１３０ａの突設方向と第２列に属する接続口部１３０ｂの突設方向との間は、６０度の角度があり、かつ基管部１１０の軸方向に対して左右対称の角度で開いている。図３に示すように、主管１２０には各接続口部１３０に対応する箇所に穴が開設されている。接続口部１３０は、この穴に根元の部分を少し挿入し、ろう付けで固定されている。
【００２６】
図４に示すように、分岐ヘッダー１００は、往き管１１と戻り管１２のそれぞれに主管１２０が水平になるようにして取り付けられる。往き管１１から流出する熱媒体流体は分岐ヘッダー１００によって１０系統に分岐され、１０系統の暖房回路等へ送り出される。放熱器等を経由してこれらの回路から戻ってきた熱媒体流体は戻り管１２に取り付けられた分岐ヘッダー１００によって合流されて戻り管１２から暖房給湯器１０の内部へ戻るようになっている。
【００２７】
本実施の形態にかかわる分岐ヘッダー１００では、上述したように複数の列を成すように接続口部１３０を配置したので、一列に配置する場合に比べて、主管１２０の全長が短くなる。これにより、暖房給湯器１０の小型化が促進される。さらに、接続口部１３０を複数の列に分けて配置したことで、同じ列の中で隣り合う接続口部１３０同士の間隔が広がり、樹脂チューブを分岐ヘッダー１００の各接続口部１３０へ取り付ける際の作業性が良い。
【００２８】
また、第１列に属する接続口部１３０ａと第２列に属する接続口部１３０ｂとを千鳥状に配置したので、接続口部１３０を設けるために主管１２０に開設する穴と穴との間隔をある程度確保しつつ、第１列に属する接続口部１３０ａと第２列に属する接続口部１３０ｂとの突設方向の角度差を、たとえば６０度程度に小さくすることができる。すなわち、接続口部１３０を設けるために主管１２０に開設する穴と穴は、それらが互いに繋がらず、かつ各穴に接続口部１３０をろう付けした際に充分な強度が確保されるだけの間隔をあける必要がある。このような条件下において、隣り合う列の接続口部１３０を主管１２０の軸方向の同一位置に配置すると、穴同士の間隔を広げるために、隣り合う列に属する接続口部１３０同士の突設方向の角度差が大きくなってしまう。
【００２９】
これに対して、本実施の形態の分岐ヘッダー１００では、第１列に属する接続口部１３０ａと第２列に属する接続口部１３０ｂとを主管１２０の軸方向に交互（千鳥状）に配置してあるので、一方の列に属する穴と穴の隙間に他方の列に属する穴を逃がして配置することができるので、隣り合う列に属する接続口部１３０ａ、１３０ｂ同士の突設方向の角度差を小さくすることができる。そして、角度差が少なくなることで、分岐ヘッダー１００に接続される配管の左右への広がりが少なくなり、省スペース化される。また穴と穴との隙間が広がることで、ろう付け強度が確保される。
【００３０】
分岐ヘッダー１００は、図４に示すように主管１２０が水平に延びるように取り付けて使用され、接続される樹脂チューブは、分岐ヘッダー１００から下方に延設された後、向きを変えて家屋の床下に入り各部屋へ配管される。図５に示すように、接続口部１３０の突設方向が水平あるいは上向きの場合には、下方に延設される樹脂チューブ３０は、接続箇所の近傍で９０度以上向きを変えるために折れ曲がり易くなる。特に、暖房用に温水を通すような場合には、樹脂チューブ３０が柔らかくなるので、より一層折れ曲がり易くなって、管路が詰まる可能性がある。したがって、各列に属する接続口部１３０の突設方向は、樹脂チューブの延設方向である鉛直下方に近いことが望ましい。
【００３１】
本実施の形態の分岐ヘッダー１００では、図６に示すように、第１列に属する接続口部１３０ａと第２列に属する接続口部１３０ｂの突設方向が、それぞれ鉛直下方に対して３０度斜めになっており、傾斜角が少ないので、同図に示すように、樹脂チューブ３０を滑らかに湾曲させて下方へ延設することができ、折れ曲がりを防止することができる。
【００３２】
なお、上述したように、▲１▼第１列に属する接続口部１３０ａと第２列に属する接続口部１３０ｂを千鳥状に配置することで、第１列に属する接続口部１３０ａと第２列に属する接続口部１３０ｂの突設方向の角度差を小さくすることと、▲２▼第１列に属する接続口部１３０ａと第２列に属する接続口部１３０ｂとを鉛直下方に対して左右対称に傾斜させることにより、第１列に属する接続口部１３０ａおよび第２列に属する接続口部１３０ｂの鉛直下方に対する傾斜角が少なくなっている。接続口部１３０の突設方向が鉛直下方に対して６０度以内に設定されれば、上記の折れ曲がりが適切に防止される。特に４５度以下であることが望ましい。
【００３３】
以上、本発明の実施の形態を図面によって説明してきたが、具体的な構成はこれに限られるものではなく、本発明の要旨を逸脱しない範囲における変更や追加があってもかまわない。
【００３４】
たとえば、第１列に属する接続口部１３０ａと第２列に属する接続口部１３０ｂとを鉛直下方に対して左右対称な角度で設けなくてもよい。図８に示すものでは、第１列に属する接続口部１３０ａを鉛直下方に向け、第２列に属する接続口部１３０ｂを鉛直下方に対して６０度の角度に設定してある。さらに、接続口部１３０は２列に限らず、たとえば、図８の鉛直下方に対して第２列に属する接続口部１３０ｂと左右対称に３列目を配置してもよい。
【００３５】
また、実施の形態では、隣り合う列に属する接続口部同士を千鳥状に配置したが、千鳥状の配置は必須ではない。たとえば。折れ曲がりの生じ難い配管を接続するような場合など隣り合う列に属する接続口部１３０同士の突設方向の角度差を大きくしてもかまわない場合には、千鳥状に配置する必要はない。このほか、１つの分岐ヘッダからの分岐数は１０系統に限定されるものではない。たとえば６系統程度であってもよいし、１０系統より多くてもよい。また暖房給湯器１０に取り付ける分岐ヘッダー１００を例に説明したが、分岐ヘッダー１００の用途はこれに限定されるものではない。
【００３６】
【発明の効果】
本発明にかかる分岐ヘッダーによれば、主管に複数の列を成すように接続口部を配置したので、流体経路を短い全長の主管から多数の系統に分岐することができる。また系統数を増やしても同一列に属する接続口部同士の間隔を広く確保できるので、配管接続の作業性が良い。
【００３７】
隣り合う列に属する接続口部同士を主管の軸方向において交互に配置したものでは、隣り合う列に属する接続口部同士の突設方向の角度差を小さくすることができる。その結果、接続される配管の左右への広がりが少なくなって、配管に必要な空間を省スペース化することができる。
【００３８】
分岐ヘッダーが、その主管を水平に取り付けて使用されるものであって、この状態で各列に属する接続口部の突設方向が鉛直下方または斜め下方になるように接続口部を配置したものでは、接続口部に樹脂チューブを接続しこれを下方に延設する場合に、樹脂チューブが内部の流体を含めた自重によって接続箇所の近傍で折れ曲がり難くなる。
【００３９】
接続口部の突設方向が斜め下方であって鉛直下方に対して左右対称な複数の列が構成されるように接続口部を配置するものでは、樹脂チューブにおける折れ曲がり防止効果を左右対称な列に均等に与えることができる。また接続口部の突設方向が鉛直下方に対して６０度以内の角度に設定されているものでは、上記折れ曲がりを的確に防止することができる。
【００４０】
当該分岐ヘッダーが、放熱器を途中に含む暖房回路に加熱した熱媒体流体を循環させて暖房する暖房装置の熱源機に取り付けられて使用するものの場合には、熱源機の設置スペース縮小のために、全長を短くすることのできる本発明にかかわる分岐ヘッダーが好適である。
【図面の簡単な説明】
【図１】本発明の実施の形態に係る分岐ヘッダーを示す正面図である。
【図２】本発明の実施の形態に係る分岐ヘッダーを示す側面図である。
【図３】本発明の実施の形態に係る分岐ヘッダーの図１におけるＡ−Ａ断面図である。
【図４】本発明の実施の形態に係る分岐ヘッダーを暖房給湯器に取り付けた状態を示す説明図である。
【図５】接続口部の突設方向を水平に設定した場合における樹脂チューブの接続状態を示す説明図である。
【図６】本発明の実施の形態に係る分岐ヘッダーへの樹脂チューブの接続状態を示す説明図である。
【図７】本発明の変形例に係る分岐ヘッダーであって接続口部の突設方向が鉛直下方な列と鉛直下方から６０度斜めの列とを有する分岐ヘッダーを示す側面図である。
【図８】従来から使用されている分岐ヘッダーを示す正面図である。
【符号の説明】
１０…暖房給湯器
１１…往き管
１２…戻り管
３０…樹脂チューブ
１００…分岐ヘッダー
１１０…基管部
１１１…取付部
１１２…ドレインねじ
１２０…主管
１３０…接続口部
１３０ａ…第１列に属する接続口部
１３０ｂ…第２列に属する接続口部
１３１…括れ部
【図１】
2004205131.tif 000003
【図２】
2004205131.tif 000004
【図３】
2004205131.tif 000005
【図４】
2004205131.tif 000006
【図５】
2004205131.tif 000007
【図６】
2004205131.tif 000008
【図７】
2004205131.tif 000009
【図８】
2004205131.tif 000010